(57)【要約】【課題】意図する撮影動作の指示をより容易に行うことができ、ユーザにとって使いやすい撮像装置を提供すること。【解決手段】デジタルカメラ１００は、被写体像を撮像して画像情報を生成するＣＣＤイメージセンサ１２０と、生成された画像情報に基づく画像を表示する液晶ディスプレイ１７０と、液晶ディスプレイ１７０に設けられたタッチパネル１７３と、タッチパネル１７３のタッチ操作された位置に基づいて、液晶ディスプレイ１７０に表示されている画像全体のうち切り取り対象とする領域を決定するコントローラ１５０と、決定された切り取り対象の領域に基づいて切り取られた画像をメモリカード１９２に記録するよう制御するコントローラ１５０と、を備える。【選択図】図３
2012222387.tif 000002
【特許請求の範囲】
【請求項１】
被写体像を撮像して画像情報を生成する撮像センサと、
前記生成された画像情報に基づく画像を表示する表示部と、
前記表示部に設けられたタッチパネルと、
前記タッチパネルのタッチ操作された位置に基づいて、前記表示部に表示されている画像全体のうち切り取り対象とする領域を決定する決定部と、
前記決定された切り取り対象の領域に基づいて切り取られた画像を記録媒体に記録するよう制御する記録制御部と、
を備えた撮像装置。
【請求項２】
前記生成された画像情報に基づく画像に含まれる顔を検出する顔検出部を更に備え、
前記決定部は、前記タッチパネルのタッチ操作された位置および、前記顔検出部の検出結果に基づいて、前記表示部に表示されている画像全体のうち切り取り対象とする領域を決定する、
請求項１に記載の撮像装置。
【請求項３】
前記決定部は、切り取り領域の設定サイズが、前記検出した顔領域のサイズよりも小さいときは、前記設定サイズを、前記顔領域が収まるまで大きくする、
請求項２に記載の撮像装置。
【請求項４】
前記決定部は、切り取り領域の設定サイズ内に、前記検出した顔領域全体が収まらないときは、前記切り取り領域を、前記顔領域が収まる位置までシフトさせる、
請求項２又は３に記載の撮像装置。
【請求項５】
前記記録制御部は、前記切り取られた画像と共に、前記表示部に表示されている画像全体を記録媒体に記録する、
請求項１から４のいずれかに記載の撮像装置。
【発明の詳細な説明】
【技術分野】
【０００１】
本発明は撮像装置に関する。特に、直感的な操作により撮像指示ができる撮像装置に関する。
【背景技術】
【０００２】
指等によるタッチを検出して、その位置座標を特定するタッチパネル等の位置入力装置は、優れたユーザインタフェース手段として注目されており、抵抗膜方式や静電容量方式等の種々の方式によるタッチパネルが知られている。近年、タッチパネルを搭載したデジタルカメラも普及している。使用者は、タッチパネルをタッチ操作することにより、デジタルカメラに所定の動作を実行させることができる。
【０００３】
例えば、特許文献１は、感圧センサからの位置座標情報に基づき、押圧された箇所についての画像を中心として焦点調節を行い、撮像信号を記録媒体に記録するカメラ装置を開示している。これにより、画面上の任意の位置にある物を、焦点を合わせる対象として指定することができるとしている。
【先行技術文献】
【特許文献】
【０００４】
【特許文献１】特開平１１−１４２７１９号公報
【発明の概要】
【発明が解決しようとする課題】
【０００５】
このように、意図する撮影動作の指示を容易に行うことができるデジタルカメラが望まれている。また、タッチパネルのようなユーザの直感的な操作を可能にするユーザインタフェースを搭載することにより、ユーザにとってより使いやすいデジタルカメラの実現が期待されている。
【０００６】
本発明は上記課題を鑑みてなされたものであり、意図する撮影動作の指示をより容易に行うことができ、ユーザにとって使いやすい撮像装置を提供することを目的とする。
【課題を解決するための手段】
【０００７】
上記課題を解決するために、本発明の撮像装置は、被写体像を撮像して画像情報を生成する撮像センサと、生成された画像情報に基づく画像を表示する表示部と、表示部に設けられたタッチパネルと、タッチパネルのタッチ操作された位置に基づいて、表示部に表示されている画像全体のうち切り取り対象とする領域を決定する決定部と、決定された切り取り対象の領域に基づいて切り取られた画像を記録媒体に記録するよう制御する記録制御部と、を備える。
【発明の効果】
【０００８】
本発明によれば、意図する撮影動作の指示をより容易に行うことができ、ユーザにとって使いやすい撮像装置を提供することを目的とする。
【図面の簡単な説明】
【０００９】
【図１】実施の形態１にかかるデジタルカメラ１００の構成図
【図２】実施の形態１にかかるデジタルカメラ１００の背面構成図
【図３】実施の形態１にかかるトリミング動作のフローチャート
【図４】タッチ操作のイメージ図
【図５】トリミング領域のサイズよりも顔が大きいときを説明するため図
【図６】トリミング領域のサイズおよび位置の調節を説明するための図
【発明を実施するための形態】
【００１０】
〔実施の形態１〕
本発明をデジタルカメラ１００に適用した実施の形態１について説明する。デジタルカメラ１００は、被写体像を撮像して画像情報を生成するＣＣＤイメージセンサ１２０と、生成された画像情報に基づく画像を表示する液晶ディスプレイ１７０と、液晶ディスプレイ１７０に設けられたタッチパネル１７３と、タッチパネル１７３のタッチ操作された位置に基づいて、液晶ディスプレイ１７０に表示されている画像全体のうち切り取り対象とする領域を決定するコントローラ１５０と、決定された切り取り対象の領域に基づいて切り取られた画像をメモリカード１９２に記録するよう制御するコントローラ１５０と、を備える。これにより、意図する撮影動作の指示をより容易に行うことができ、ユーザにとって使いやすいデジタルカメラ１００を提供することができる。以下、デジタルカメラ１００の構成および動作について順に説明する。
【００１１】
〔１−１．構成〕
まず、デジタルカメラ１００の構成について図を用いて説明する。
【００１２】
図１は、デジタルカメラ１００の構成を示すブロック図である。デジタルカメラ１００は、光学系１１０を介して形成された被写体像をＣＣＤイメージセンサ１２０で撮像する。ＣＣＤイメージセンサ１２０は、撮像した被写体像に基づく画像データを生成する。撮像により生成された画像データはＡＦＥ（ＡＦＥ：Ａｎａｌｏｇ  Ｆｒｏｎｔ  Ｅｎｄ）１２１や画像処理部１３０において各種処理を施される。画像データはフラッシュメモリ１６０やメモリカード１９２に記憶される。フラッシュメモリ１６０やメモリカード１９２に記憶された画像データは、使用者による操作部１８０の操作を受け付けて液晶ディスプレイ１７０に再生表示される。また、ＣＣＤイメージセンサ１２０で撮像され、画像処理部１３０から出力された画像データはスルー画像として液晶ディスプレイ１７０に表示される。
【００１３】
光学系１１０は、フォーカスレンズ１１１、ズームレンズ１１２、絞り１１３およびシャッタ１１４を含む。図示していないが、光学系１１０は、光学式手ぶれ補正レンズＯＩＳ（Ｏｐｔｉｃａｌ  Ｉｍａｇｅ  Ｓｔａｂｉｌｉｚｅｒ）を含んでいてもよい。なお、光学系１１０を構成する各種レンズは何枚から構成されるものでも、何群から構成されるものでもよい。
【００１４】
フォーカスレンズ１１１は、焦点距離の調節に用いられる。ズームレンズ１１２は拡大縮小倍率の調節に用いられる。絞り１１３は、ＣＣＤイメージセンサに入射する光量の調節に用いられる。シャッタ１１４は、ＣＣＤイメージセンサに入射する光の露出時間を調節する。フォーカスレンズ１１１、ズームレンズ１１２、絞り１１３およびシャッタ１１４は、それぞれに対応したＤＣモータやステッピングモータ等の駆動手段（不図示）により、コントローラ１５０から通知された制御信号に従って駆動される。
【００１５】
ＣＣＤイメージセンサ１２０は、光学系１１０を通して形成された被写体像を撮像して画像データを生成する。ＣＣＤイメージセンサ１２０は、所定のフレームレート（例えば、３０フレーム／秒）で新しいフレームの画像データを生成する。ＣＣＤイメージセンサ１２０の画像データ生成タイミングおよび電子シャッタ動作は、コントローラ１５０によって制御される。この画像データをスルー画像として逐一液晶ディスプレイ１７０に表示することにより、使用者はリアルタイムに被写体の状況を液晶ディスプレイ１７０で確認できる。なお本発明においては、ＣＣＤイメージセンサ１２０に代えて、例えばＣＭＯＳイメージセンサやＮＭＯＳイメージセンサなど、他の撮像素子を用いても良い。
【００１６】
ＡＦＥ１２１は、ＣＣＤイメージセンサ１２０で生成された画像データに対して、相関二重サンプリング、ゲイン調整等の処理を実行する。ゲイン調整においては、ＩＳＯ感度に相当するゲインが設定される。また、アナログ形式の画像データからデジタル形式の画像データへの変換を施す。その後、ＡＦＥ１２１は画像データを画像処理部１３０に出力する。
【００１７】
画像処理部１３０は、画像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。また、画像処理部１３０は、ＣＣＤイメージセンサ１２０から取得した画像データ（スルー画像）に基づいて、顔検出を行なうことができる。例えば、画像処理部１３０は、ＹＣ変換処理が施された画像データに基づいて、画像の輝度分布を見ることにより、画像中に含まれる顔の位置、顔のサイズ、顔の向き等を検出することができる。以下、検出した顔を囲む領域を顔領域と呼ぶことにする。尚、人物である場合を示すが、犬などの動物であっても、物体であってもよい。画像処理部１３０は、ハードワイヤードな電子回路で構成してもよいし、これらの処理を行うためのプログラムを実行するマイクロコンピュータ等で構成してもよい。またコントローラ１５０等と共に１つの集積回路として構成してもよい。
【００１８】
液晶ディスプレイ１７０は、デジタルカメラ１００の背面に備わる。液晶ディスプレイ１７０は、画像処理部１３０にて処理された画像データに基づく画像を表示する。液晶ディスプレイ１７０が表示する画像には、スルー画像や記録画像がある。液晶ディスプレイ１７０は、ＣＣＤイメージセンサ１２０により一定時間毎に生成される画像をスルー画像としてリアルタイムで表示する。使用者は、液晶ディスプレイ１７０に表示されるスルー画像を参照することにより、被写体の構図を確認しながら撮影できる。記録画像は、メモリカード１９２やフラッシュメモリ１６０に記録された画像である。液晶ディスプレイ１７０は、使用者の操作に応じて、すでに記録した画像データに基づく画像を表示する。液晶ディスプレイ１７０はこの他、デジタルカメラ１００の各種設定条件等を表示可能である。
【００１９】
タッチパネル１７３は、液晶ディスプレイ１７０の表面に設けられており、使用者がタッチしたタッチパネル上の電極位置に関する情報を出力する。
【００２０】
検出処理部１７７は、タッチパネル１７３が出力する電極位置に関する情報に基づいて、使用者がタッチしたタッチパネル上の位置座標を算出してコントローラ１５０に出力する。これにより、コントローラ１５０は、使用者がタッチ操作しているタッチパネル１７３上の位置を把握することができる。
【００２１】
コントローラ１５０は、デジタルカメラ１００全体の動作を統括制御する。コントローラ１５０は、垂直同期信号（ＶＤ）に基づいて、ＣＣＤイメージセンサ１２０や、画像処理部１３０などに制御信号を通知する。コントローラ１５０は、プログラム等の情報を格納するＲＯＭ（不図示）、プログラム等の情報を処理するＣＰＵ（不図示）等により構成される。ＲＯＭは、オートフォーカス制御やオート露出制御に関するプログラムの他、デジタルカメラ１００全体の動作を統括制御するためのプログラムを格納している。またＲＯＭは、ＣＣＤイメージセンサ１２０が起動した後、最初に撮像を実行するときの絞り値やシャッタスピードに関する撮像初期データ、適正露出を得るための目標輝度値に関するデータ等を格納している。
【００２２】
コントローラ１５０は、液晶ディスプレイ１７０にメニューを表示させ、使用者がメニューを見ながら操作部１８０やタッチパネル１７３を操作することにより各種設定を行わせ、設定内容を取得する。特にコントローラ１５０は、検出処理部１７７が出力する位置座標値から、使用者が液晶ディスプレイ１７０に表示されている撮影フレーム内の何処をタッチしたかを認識し、その操作に応じた処理を行う。
【００２３】
コントローラ１５０は、ハードワイヤードな電子回路で構成してもよいし、マイクロコンピュータなどで構成してもよい。また、画像処理部１３０などと共に１つの集積回路として構成してもよい。また、ＲＯＭはコントローラ１５０の内部構成である必要はなく、コントローラ１５０の外部に備わったものでもよい。
【００２４】
バッファメモリ１４０は、画像処理部１３０やコントローラ１５０のワークメモリとして機能する記憶手段である。バッファメモリ１４０はＤＲＡＭ（Ｄｙｎａｍｉｃ  Ｒａｎｄｏｍ  Ａｃｃｅｓｓ  Ｍｅｍｏｒｙ）などで実現できる。
【００２５】
フラッシュメモリ１６０は、画像データ等を記憶するための内部メモリとして機能する。コントローラ１５０は、画像処理部１３０で処理される画像データをフラッシュメモリ１６０あるいはメモリカード１９２に記憶する。
【００２６】
カードスロット１９１は、メモリカード１９２を着脱可能な接続手段である。カードスロット１９１は、メモリカード１９２を電気的及び機械的に接続可能である。また、カードスロット１９１は、メモリカード１９２を制御する機能を備えてもよい。
【００２７】
メモリカード１９２は、内部にフラッシュメモリ等の記憶部を備えた外部メモリである。メモリカード１９２は、画像処理部１３０で処理される画像データなどのデータを記憶可能である。本実施の形態では、外部メモリの一例としてメモリカード１９２を示すが、光ディスク、ＨＤＤ等の記憶媒体を外部メモリとしてもよい。また、外部との通信インタフェース（無線または有線）をコントローラ１５０に接続し、画像データを外部に伝送するように構成してもよい。
【００２８】
操作部１８０は、デジタルカメラ１００の外装に備わっているボタンやレバー、ダイヤル等の総称であり、使用者による操作を受け付ける。例えば、図２に示すように、レリーズ釦２００やズームレバー２０１、選択釦２０３、決定釦２０４、電源釦２０２等が操作部１８０にあたる。操作部１８０は、使用者による操作を受け付けると、コントローラ１５０に種々の動作指示信号を通知する。
【００２９】
レリーズ釦２００は、二段押下式の押下釦である。レリーズ釦２００が使用者により半押し操作されると、コントローラ１５０はオートフォーカス制御やオート露出制御などを実行する。また、レリーズ釦２００が使用者により全押し操作されると、コントローラ１５０は、押下操作のタイミングに撮像された画像データを記録画像としてメモリカード１９２等に記録する。
【００３０】
ズームレバー２０１は、画角調節についての広角端と望遠端を有する中央位置自己復帰式のレバーである。ズームレバー２０１は、使用者により操作されるとコントローラ１５０にズームレンズ１１２を駆動するための動作指示信号を通知する。
【００３１】
電源釦２０２は、デジタルカメラ１００を構成する各部への電力供給をＯＮ/ＯＦＦするための押下式釦である。電源ＯＦＦ時に電源釦２０２が使用者により押下されると、コントローラ１５０はデジタルカメラ１００を構成する各部に電力を供給し、起動させる。また、電源ＯＮ時に電源釦２０２が使用者により押下されると、コントローラ１５０は各部への電力供給を停止する。
【００３２】
選択釦２０３は、上下左右方向に設けられた押下式釦である。使用者は、選択釦２０３のいずれかの方向を押下することにより、液晶ディスプレイ１７０に表示される各種条件項目を選択することができる。
【００３３】
決定釦２０４は、押下式釦である。デジタルカメラ１００が撮影モードあるいは再生モードにあるときに、決定釦２０４が使用者により押下されると、コントローラ１５０は液晶ディスプレイ１７０にメニュー画面を表示する。メニュー画面は、撮影/再生のための各種条件を設定するための画面である。決定釦２０４が各種条件の設定項目が選択されているときに押下されると、コントローラ１５０は、選択された項目の設定を確定する。
【００３４】
ここで、デジタルカメラ１００の構成と本発明との対応関係は以下の通りである。ＣＣＤイメージセンサ１２０は、本発明の撮像センサの一例である。液晶ディスプレイ１７０は、本発明の表示部の一例である。タッチパネル１７３は、本発明のタッチパネルの一例である。コントローラ１５０は、本発明の決定部、記録制御部の一例である。画像処理部１３０は、顔検出部の一例である。デジタルカメラ１００は、本発明の撮像装置の一例である。
【００３５】
〔１−２．動作〕
続いて、デジタルカメラ１００の動作について説明する。従来、着目する被写体と全体の雰囲気を収めた画角の両方を記録したい場合、撮影した後でカメラ本体の再生機能としてトリミングする必要があった。撮影する際に着目する被写体をタッチすることで指定しているにもかかわらず、再度トリミングする際にトリミングしたい領域を手動で指定しなくてはならず、使い勝手が悪いという課題があった。一方、デジタルカメラ１００によれば、撮りたい被写体をタッチするだけで、目的の被写体を中心としたトリミング画像と、全体の雰囲気を収めた通常の画角の画像を同時に記録することができる。
【００３６】
デジタルカメラ１００が撮影モードに設定されているとき、液晶ディスプレイ１７０は、ＣＣＤイメージセンサ１２０が撮像している画像をリアルタイムに表示する。すなわち、液晶ディスプレイ１７０は、スルー画像を表示する。このとき、コントローラ１５０は、ユーザによるタッチパネル１７３のタッチ操作の受付を待機している（Ｓ３００）。また、コントローラ１５０は、撮像している画像に顔が含まれるか否かを監視している。
【００３７】
ユーザによるタッチパネル１７３のタッチ操作を受け付けると（Ｓ３００におけるＹｅｓ）、コントローラ１５０は、検出処理部１７７からタッチされた箇所の位置座標を取得する。コントローラ１５０は、トリミングする画像領域の設定サイズをＲＯＭから読み出す。この設定サイズは、予めユーザにより幾つかの候補から選択設定されていてもよい。コントローラ１５０は、設定サイズに従って、タッチにより指定された位置情報を中心としたトリミング領域を仮設定する。
【００３８】
その後、デジタルカメラ１００は、タッチ操作にて指定された位置座標を中心としたトリミング領域内に顔が存在するか判断する（Ｓ３０１）。コントローラ１５０は、トリミング領域と、検出した顔領域との重なりがあるか否かにより、トリミング領域内に顔が存在するか否かを判断する。顔が存在しない場合（Ｓ３０１におけるＮｏ）、コントローラ１５０は、トリミング領域のサイズや位置を調整しない。このとき、コントローラ１５０は、タッチ操作に対応する被写体に合焦するようフォーカスを調節する。また、コントローラ１５０は、ＣＣＤイメージセンサ１２０により生成された画像データから輝度情報を抽出し、適正な露出になるよう絞り１１３や、シャッタ１１４、画像処理部１３０を制御する。コントローラ１５０は、タッチされた位置座標を中心に、設定サイズに従ってトリミング画像を生成する（Ｓ３０８）。すなわち、コントローラ１５０は、仮設定されたトリミング領域を、本設定とし、トリミング画像を生成する。
【００３９】
コントローラ１５０は、生成されたトリミング画像と、液晶ディスプレイ１７０に表示されていた通常の画像をメモリカード１９２に記録するよう制御する（Ｓ３０９）。以上のように、トリミング領域に顔領域が存在しない場合は、トリミング領域で切り取った画角の画像データと通常の画角の画像データの両方をメモリカード１９２に記録する。
【００４０】
一方、トリミング領域内に顔が存在する場合（Ｓ３０１におけるＹｅｓ）、コントローラ１５０は、まずトリミング領域と顔領域のサイズを比較する（Ｓ３０２）。トリミング領域よりも顔領域の方が大きい場合（Ｓ３０２におけるＹｅｓ）、コントローラ１５０は、トリミング領域のサイズを顔領域のサイズ以上になるように補正する。顔領域よりもトリミング領域の方が大きい場合（Ｓ３０２におけるＮｏ）、コントローラ１５０は、トリミング領域のサイズについては変更を行わない。
【００４１】
続いて、コントローラ１５０は、トリミング領域内に顔領域が収まっているかどうか確認する（Ｓ３０４）。トリミング領域内に顔領域が収まっていない場合（Ｓ３０４におけるＮｏ）、コントローラ１５０は、トリミング領域の位置を顔領域が収まるように移動する（Ｓ３０５）。その結果、トリミング領域内に顔領域が収まるようになる。一方、トリミング領域内に顔領域が収まっている場合（Ｓ３０４におけるＹｅｓ）、コントローラ１５０は、トリミング領域の位置については変更を行なわない。
【００４２】
以上のように、コントローラ１５０は、トリミング領域に顔領域が収まっているか判断し、収まっていない場合は収まるようにトリミング領域の大きさ、位置を調整する。トリミング領域の大きさ、位置の調整後、コントローラ１５０は、補正したトリミング領域に従いトリミング画像を生成する（Ｓ３０６）。そして、コントローラ１５０は、切り取った画角の画像データと通常の画角の画像データの両方をメモリカード１９２に記録する（Ｓ３０７）。
【００４３】
〔１−３．まとめ〕
以上、説明したように、デジタルカメラ１００は、被写体像を撮像して画像情報を生成するＣＣＤイメージセンサ１２０と、生成された画像情報に基づく画像を表示する液晶ディスプレイ１７０と、液晶ディスプレイ１７０に設けられたタッチパネル１７３と、タッチパネル１７３のタッチ操作された位置に基づいて、液晶ディスプレイ１７０に表示されている画像全体のうち切り取り対象とする領域を決定するコントローラ１５０と、決定された切り取り対象の領域に基づいて切り取られた画像をメモリカード１９２に記録するよう制御するコントローラ１５０と、を備える。これにより、デジタルカメラ１００は、撮影中において、撮りたい被写体をタッチするだけで、ユーザが意図した被写体のトリミング画像（切り取り画像）を記録することができる。
【００４４】
また、デジタルカメラ１００は、生成された画像情報に基づく画像に含まれる顔を検出する画像処理部１３０を更に備え、コントローラ１５０は、タッチパネル１７３のタッチ操作された位置および、顔検出結果に基づいて、液晶ディスプレイ１７０に表示されている画像全体のうち切り取り対象とする領域を決定する。これにより、デジタルカメラ１００は、ユーザの撮りたい被写体が顔であった場合に、顔検出結果に基づいてトリミング画像を記録することができる。
【００４５】
また、デジタルカメラ１００において、コントローラ１５０は、切り取り領域の設定サイズが、検出した顔領域のサイズよりも小さいときは、設定サイズを、顔領域が収まるまで大きくする。これにより、デジタルカメラ１００は、切り取り領域の設定サイズが、検出した顔領域のサイズより小さくても、顔領域が収まるように設定サイズを調節することができる。
【００４６】
また、デジタルカメラ１００において、コントローラ１５０は、切り取り領域の設定サイズ内に、検出した顔領域全体が収まらないときは、切り取り領域を、顔領域が収まる位置までシフトさせる。これにより、デジタルカメラ１００は、切り取り領域の設定サイズ内に、検出した顔領域全体が収まらないときでも、顔領域が収まるように切り取り領域の位置をシフトさせることができる。
【００４７】
また、デジタルカメラ１００において、コントローラ１５０は、切り取られた画像と共に、液晶ディスプレイ１７０に表示されている画像全体をメモリカード１９２に記録する。これにより、デジタルカメラ１００は、切り取り画像のみならず、通常の画角画像も記録することができる。従って、ユーザは、切り取った画像の周囲の画像についても取得することができる。
【００４８】
〔２．他の実施形態〕
以上により、本発明の実施の形態１について説明した。しかし本発明は、これらには限定されない。そこで、本発明の他の実施の形態について、本欄にまとめて説明する。
【００４９】
上記実施の形態では、検出処理部１７７は、ハードワイヤードな回路で実現するものとしたが、同様な動作を行うことができる他の構成としてもよい。例えば検出処理部１７７がマイコンと、マイコンが実行する検出処理プログラムを格納したＲＯＭを備え、このプログラムをマイコンが実行することにより、タッチ位置座標の算出をするようにしてもよい。また、タッチパネルが出力するタッチした電極位置に関する情報をコントローラ１５０に直接入力し、コントローラ１５０がこのような検出処理プログラムを実行することによりタッチ位置座標の算出をするようにするようにしてもよい。すなわち検出処理部１７７をコントローラ１５０が兼ねるようにしてもよい。
【００５０】
上記実施の形態１において、デジタルカメラ１００は、顔情報により算出した顔領域に基づきトリミング領域のサイズと位置を調整するようにしたが、トリミング領域のサイズまたは位置の一方のみを利用することも可能である。例えば、トリミング領域に顔領域が含まれており、トリミング領域のサイズよりも顔領域のサイズの方が大きい場合に、デジタルカメラ１００は、トリミング領域の位置をシフトさせずに、サイズのみを調節するようにしてもよい。
【００５１】
また、上記実施の形態１において、デジタルカメラ１００は、トリミング領域の位置のシフト或いはサイズの調整の範囲の閾値を設定してもよい。このとき、トリミング領域と顔領域の比較の結果、調節の範囲が閾値を超える場合、サイズ調整しても顔領域がトリミング領域内に収まらない可能性があるため、トリミング領域の調整をしないようにしてもよい。又は、トリミング領域と顔領域の比較の結果、調節の範囲が閾値を超える場合、可能な限りトリミング領域内に顔領域が収まるように、閾値まで調整してもよい。
【００５２】
上記実施の形態１においてデジタルカメラ１００は、トリミング領域内に顔領域がひとつだけ含まれる場合について説明したが、顔領域が複数存在する場合でも適応が可能である。例えば、トリミング領域内に顔領域が３つ存在する場合、全ての顔領域が収まるようにトリミング領域を補正することが可能である。または顔情報（位置、サイズ、顔向き、表情等）に基づいて顔領域に優先順位を設け優先順位の高い顔領域のみ収まるようにトリミング領域を補正することも可能である。この場合でも顔領域がひとつである場合と同様、トリミング領域の調整に閾値を設けることも可能である。
【産業上の利用可能性】
【００５３】
本発明の撮像装置は、デジタルカメラ１００への適用に限定されない。すなわち、ムービーカメラ、カメラ付き情報端末、カメラ付きゲームシステムなどの撮像装置に本発明は適用可能である。
【符号の説明】
【００５４】
１００    デジタルカメラ
１１１    フォーカスレンズ
１１２    ズームレンズ
１１３    絞り
１１４    シャッタ
１２０    ＣＣＤイメージセンサ
１２１    ＡＦＥ
１３０    画像処理部
１４０    バッファメモリ
１５０    コントローラ
１６０    フラッシュメモリ
１７０    液晶ディスプレイ
１７３    タッチパネル
１７７    検出処理部
１８０    操作部
１９１    カードスロット
１９２    メモリカード
２００    レリーズ釦
２０１    ズームレバー
２０２    電源釦
２０３    選択釦
２０４    決定釦
【図１】
2012222387.tif 000003
【図２】
2012222387.tif 000004
【図３】
2012222387.tif 000005
【図４】
2012222387.tif 000006
【図５】
2012222387.tif 000007
【図６】
2012222387.tif 000008